(57)【特許請求の範囲】
【請求項１】
ＩＣタグが付されたコンテンツ記録媒体のＩＣタグと交信するＩＣタグセンサ、前記コンテンツ記録媒体を撮影する撮影手段、前記ＩＣタグセンサから前記コンテンツ記録媒体を検出した信号を受信し、前記撮影手段に対し、その中の任意の位置が指定された前記コンテンツ記録媒体を撮影するよう指示する撮影指示手段、ならびに、前記撮影手段が撮影した前記コンテンツ記録媒体の画像を受け取り、前記コンテンツ記録媒体のページの情報、および、このページ内のコンテンツ表示エリア内において指定された前記任意の位置の前記ページに対する相対的位置情報を、位置情報として認識する位置情報認識手段を有する位置情報取得手段と、
前記指定された位置に関連した情報を入力する関連情報入力手段と、
前記位置情報と、前記関連情報あるいは前記関連情報のアクセス先と対応付けて、メッセージ情報として記憶装置に記録するメッセージ情報記録手段と、を有することを特徴とするメッセージ記録装置。
【請求項２】
前記メッセージ情報は、テキストデータ、音声データ、手書き文字、および絵のいずれか１つ以上を含む請求項１に記載のメッセージ記録装置。
【請求項３】
請求項１に記載のメッセージ記録装置によって記録されたメッセージ情報を再生するメッセージ再生装置であって、
ＩＣタグが付されたコンテンツ記録媒体と、
前記コンテンツ記録媒体を撮影する撮影手段と、
前記コンテンツ記録媒体に付されたＩＣタグと交信するＩＣタグセンサと、
前記ＩＣタグセンサから前記コンテンツ記録媒体を検出した信号を受信し、前記撮影手段に対し、任意の位置が指定された前記コンテンツ記録媒体を撮影するよう指示する撮影指示手段と、
前記撮影手段が撮影した前記コンテンツ記録媒体の画像を受け取り、前記コンテンツ記録媒体のページの情報、および、このページ内のコンテンツ表示エリア内で指定された前記任意の位置の前記ページに対する相対的位置情報からなる位置情報を認識する位置情報認識手段と、
前記コンテンツ記録媒体中の前記位置情報に対応するメッセージ情報が存在しないか記憶装置内を検索する検索手段と、
前記コンテンツ記録媒体中の所定の位置に対応するメッセージ情報が検出された場合に、該メッセージ情報を出力するメッセージ情報出力手段と、
を有することを特徴とするメッセージ再生装置。
【発明の詳細な説明】
【０００１】
【発明の属する技術分野】
本発明は、メッセージ記録および再生装置および方法に係り、各種の物品、特に、本やノートあるいは新聞等の物理的な記録媒体に記録されたコンテンツに対し、前記記録媒体中の所定の場所を指定してメッセージを入力し、あるいは関連情報を指定した場合に、前記記録媒体中の所定の場所において、前記メッセージあるいは関連情報が自動的に再生されるようにしたメッセージ記録および再生装置および方法に関する。
【０００２】
【従来の技術】
従来は、本やノートあるいは新聞等の記録媒体に記録されたコンテンツや、テレビ放送やラジオ放送等によるコンテンツの楽しみ方としては、単にそれを受け取るだけという受動的な楽しみ方がほとんどであった。
ここで、本、ノートあるいは新聞等の物理的（ハードウエア的）な記録媒体に記録されたコンテンツの能動的な楽しみ方としては、例えば、本の所定のページ等に対してメッセージ情報等を付与しておき、後で再度その本を読む際に、そのページを開くと以前付与したメッセージ情報が再生されたり、そのメッセージ情報を友人等に伝送し、友人がその同じ本の同じページを開くとそのメッセージ情報が再生されたり、というように記録媒体を介してのメッセージ情報の伝達ということが考えられる。
【０００３】
しかし、従来はこのように記録媒体へのメッセージ情報の付与（記録）や再生を容易に行うことにより、記録媒体を介してメッセージ情報を伝達する方法というものは存在せず、記録媒体そのものに直接メッセージを書き込んでしまうものが存在するのみであった。
例えば、物理的な記録媒体として写真プリントにメッセージを書き込む方法として特許文献１には、写真の娯楽性を高めるために、撮影画像データを可視画像として再生する際に、第三者からのメッセージを合成するようにしたメッセージ付き画像再生方法およびシステムが開示されている。
すなわち、これは、再生すべき撮影画像の画像データから、メッセージを書き込む参照画像を作成して、参照画像を知人や友人等のメッセージを書き込んでもらう第三者に伝送し、メッセージを書き込んで返送してもらい、返送されたメッセージを前記再生すべき撮影画像に寄せ書き風に合成した写真プリントを出力するようにしたものである。
【０００４】
【特許文献１】
特開２００１−２６８３４２号公報
【０００５】
【発明が解決しようとする課題】
しかしながら、物理的な記録媒体等のメディアを利用するにあたり、単に受動的にコンテンツ等を楽しむのみではなく、また、メッセージの記録も一方向のみでなく、また、メッセージの記録および再生を容易に行うことを可能として、記録媒体を介したコミュニケーションを実現することが望まれている。
この点、上記特許文献１に記載のものは、メッセージを書き込んでもらうべき画像をメッセージを書き込んでもらう第三者に送信し、書き込んでもらった第三者のメッセージを合成した画像を出力するものであり、自らのメッセージを発信するのには対応しておらず、そもそもメッセージを書き込んでもらう画像を第三者に送信するのに手間がかかり煩雑であるという問題がある。
【０００６】
また、本、ノートや写真アルバム等で直接メッセージ情報を書き込むことができない場合には、メッセージ情報は他の紙に書かれたり、パソコンに入力されたりする。また、本等を読んでいるときに、関連する項目等をインターネットサイト等で調べたりすることもある。
これらの場合に、後でその本やノート等を読み直すときに、その本の中の位置（ページ等）と前に書き込んだメッセージ情報とが対応付けられていないと、そのメッセージ情報を再生したり、参照することが非常に煩雑となってしまうという問題がある。
【０００７】
本発明は、前記従来の問題に鑑みてなされたものであり、各種物品、特に、物理的な記録媒体に記録されたコンテンツへのメッセージ情報の記録およびその再生を容易に行うことを可能とし、また、コンテンツを媒介とした、第三者とのコミュニケーションを実現し、コンテンツ鑑賞における娯楽性を向上させたメッセージ記録および再生装置および方法を提供することを課題とする。
【０００８】
【課題を解決するための手段】
前記課題を解決するために、本発明の第１の態様は、ＩＣタグが付されたコンテンツ記録媒体のＩＣタグと交信するＩＣタグセンサ、前記コンテンツ記録媒体を撮影する撮影手段、前記ＩＣタグセンサから前記コンテンツ記録媒体を検出した信号を受信し、前記撮影手段に対し、その中の任意の位置が指定された前記コンテンツ記録媒体を撮影するよう指示する撮影指示手段、ならびに、前記撮影手段が撮影した前記コンテンツ記録媒体の画像を受け取り、前記コンテンツ記録媒体のページの情報、および、このページ内のコンテンツ表示エリア内において指定された前記任意の位置の前記ページに対する相対的位置情報を、位置情報として認識する位置情報認識手段を有する位置情報取得手段と、前記指定された位置に関連した情報を入力する関連情報入力手段と、前記位置情報と、前記関連情報あるいは前記関連情報のアクセス先と対応付けて、メッセージ情報として記憶装置に記録するメッセージ情報記録手段と、を有することを特徴とするメッセージ記録装置を提供する。
【０００９】
また、同様に前記課題を解決するために、本発明の第２の態様は、表面に所定パターンが形成されたコンテンツ記録媒体上で指定された任意の位置を、前記所定パターンをスキャナ付き電子ペンで検出することで検出する検出手段、および、前記検出手段によって検出された前記任意の位置から、前記コンテンツ記録媒体のページの情報、および、このページ内のコンテンツ表示エリア内において指定された前記任意の位置の前記ページに対する相対的位置情報を、位置情報として認識する位置情報認識手段を有する位置情報取得手段と、前記指定された位置に関連した情報を入力する関連情報入力手段と、前記位置情報と、前記関連情報あるいは前記関連情報のアクセス先と対応付けて、メッセージ情報として記憶装置に記録するメッセージ情報記録手段と、を有することを特徴とするメッセージ記録装置を提供する。
【００１０】
また、同様に前記課題を解決するために、本発明の第３の態様は、前記本発明の第１の態様のメッセージ記録装置によって記録されたメッセージ情報を再生するメッセージ再生装置であって、ＩＣタグが付されたコンテンツ記録媒体と、前記コンテンツ記録媒体を撮影する撮影手段と、前記コンテンツ記録媒体に付されたＩＣタグと交信するＩＣタグセンサと、前記ＩＣタグセンサから前記コンテンツ記録媒体を検出した信号を受信し、前記撮影手段に対し、任意の位置が指定された前記コンテンツ記録媒体を撮影するよう指示する撮影指示手段と、前記撮影手段が撮影した前記コンテンツ記録媒体の画像を受け取り、前記コンテンツ記録媒体のページの情報、および、このページ内のコンテンツ表示エリア内で指定された前記任意の位置の前記ページに対する相対的位置情報からなる位置情報を認識する位置情報認識手段と、前記コンテンツ記録媒体中の前記位置情報に対応するメッセージ情報が存在しないか記憶装置内を検索する検索手段と、前記コンテンツ記録媒体中の所定の位置に対応するメッセージ情報が検出された場合に、該メッセージ情報を出力するメッセージ情報出力手段と、を有することを特徴とするメッセージ再生装置を提供する。
【００１１】
また、同様に前記課題を解決するために、本発明の第４の態様は、前記本発明の第２の態様のメッセージ記録装置によって記録されたメッセージ情報を再生するメッセージ再生装置であって、表面に所定のパターンが形成されたコンテンツ記録媒体と、スキャナ付き電子ペンによって前記コンテンツ記録媒体の表面上の所定パターンを検出することにより、前記コンテンツ記録媒体表面上で指定された任意の位置を検出する検出手段と、前記検出手段によって検出された任意の位置から、前記コンテンツ記録媒体のページの情報、および、このページ内のコンテンツ表示エリア内で指定された前記任意の位置の前記ページに対する相対的位置情報からなる位置情報を認識する位置情報認識手段と、前記コンテンツ記録媒体表面上の前記位置情報に対応するメッセージ情報が存在しないか記憶装置内を検索する検索手段と、前記コンテンツ記録媒体表面上の所定の位置に対応するメッセージ情報が検出された場合に、該メッセージ情報を出力するメッセージ情報出力手段と、を有することを特徴とするメッセージ再生装置を提供する。
【００１２】
このような本発明において、前記メッセージ情報は、テキストデータ、音声データ、手書き文字、および絵のいずれか１つ以上を含むのが好ましい。
【００１８】
【発明の実施の形態】
以下、本発明のメッセージ記録および再生装置および方法について、添付の図面に示される好適実施形態を基に詳細に説明する。
【００１９】
図１は、本発明の第１実施形態に係るメッセージ記録装置およびメッセージ再生装置の両方の機能を備えたメッセージ記録再生システムの概略構成を示すブロック図である。
図１に示すように、本メッセージ記録再生システムは、主に、ＩＣタグ１０を有するコンテンツ記録媒体１２（例えば本。以下本１２とする。）ＩＣタグ１０と交信して本１２を検出するＩＣタグセンサ１４、本１２を撮影する撮影手段１６（例えばデジタルカメラ。以下単にカメラ１６とする。）、および各種機能を有するパソコン２０から構成される。
【００２０】
パソコン２０は、撮影指示手段２２、位置情報認識手段２４、メッセージ情報記録手段２６、メモリ２８および検索手段３０を有している。
また、パソコン２０には、メッセージ情報を入力する入力手段３２、メッセージ情報を出力（再生）するモニタ３４やスピーカ３５あるいはプリンタ３６等が接続されており、さらに、パソコン２０は、インターネット等のネットワーク４０と接続されている。
【００２１】
ＩＣタグ１０は、図示したようにコンテンツ記録媒体が本１２の場合には、その背表紙や表紙あるいは裏表紙等に付設されている。また、本１２を、例えば図のように、机４２の上に置くような場合には、ＩＣタグセンサ１４は机４２に設置される。
また、カメラ１６は、例えば図のように天井４４や蛍光灯等の照明器具あるいは専用の取り付け手段等により、本１２の真上に取り付けられる。
【００２２】
撮影指示手段２２は、ＩＣタグセンサ１４から本１２の検出信号を受け取ると、カメラ１６に対して本１２を撮影するように指示を出すものである。カメラ１６は、上述したように、コンテンツ記録媒体である本１２の真上に配置され、そのとき開かれている本１２のページ全体を撮影するようになっている。
【００２３】
位置情報認識手段２４は、カメラ１６が撮影した本１２の画像を取得して、この撮影画像から、例えばこのシステムの利用者が指した本１２のあるページ上の位置を検出し、位置情報を作成するものである。
この場合、撮影時に利用者が所定の指示器具を用いて本１２のあるページ上の所定の位置を指し示すようになっている場合には、撮影画像中からその指示器具（例えばその先端）を検出すればよく、簡単に指示した位置を検出することができて好ましい。
【００２４】
メッセージ情報記録手段２６は、入力手段３２からシステム利用者が入力した、本１２の上で指示した位置に対応するメッセージ等の関連情報あるいは関連情報のアクセス先と、位置情報認識手段２４が作成した位置情報とを組み合わせてメッセージ情報として、メモリ（記憶装置）２８に記録するものである。メモリ２８は、図ではパソコン２０の内部メモリとなっているが、これに限定されるものではなく、外付けの記憶装置であってもよい。
なお、パソコン２０内においては、以上の撮影指示手段２２、位置情報認識手段２４、メッセージ情報記録手段２６およびメモリ２８がメッセージ記録装置の働きを行う部分である。
【００２５】
検索手段３０は、メッセージ再生時において、本１２を上記のように撮影した画像から得た位置情報を用いて、その位置情報に対応するメッセージ情報がメモリ２８に記録されていないか、メモリ２８内を検索し、メッセージ情報が存在した場合には、このメッセージ情報をモニタ３４やプリンタ３６に出力（再生）するものである。
【００２６】
入力手段３２は、システム利用者が本１２の所定の位置（例えば、本のあるページのある行等）を指定して、その位置に関連したメッセージ等の関連情報を入力するものであり、テキストデータを入力するキーボードや、音声データを入力するマイクロフォン、あるいは手書きの文字や絵を読み取って入力するスキャナ等が例示される。
【００２７】
以下、本実施形態の作用を、メッセージの記録およびメッセージの再生に分けて、それぞれフローチャートを参照して説明する。
図２は、本実施形態のメッセージ記録再生システムにおいて、メッセージを記録する場合の処理の流れを示すフローチャートである。
図２を用いて、まずメッセージの記録方法を説明する。
【００２８】
図２のステップＳ１００において、本システムの利用者がＩＣタグ１０の付いた本（コンテンツ記録媒体）１２を机４２上に置いて開くと、ステップＳ１１０において、机４２に設置されたＩＣタグセンサ１４が、本１２に付されたＩＣタグ１０と交信を行い、本１２を検出（識別）する。
検出信号は、ＩＣタグセンサ１４からパソコン２０に伝送され、撮影指示手段２２および位置情報認識手段２４に入力される。
【００２９】
次に、ステップＳ１２０において、システム利用者が本１２のあるページのある場所を指し示して、本１２全体を、その真上に設置されたカメラ１６によって撮影する。撮影は、ＩＣタグセンサ１４から本１２の検出信号を受信した撮影指示手段２２がカメラ１６に指示を出すことによって行われる。この撮影は、撮影指示手段２２が本１２の検出信号を受け取ると、所定時間間隔で自動的に連続して行うようにしてもよいし、あるいは利用者が本１２のある位置を指示しながら、例えば入力手段３２等から撮影指示手段２２を通じてカメラ１６に指示して行うようにしてもよい。カメラ１６で撮影された本１２の撮影画像データは、位置情報認識手段２４に送られる。
【００３０】
次に、ステップＳ１３０において、位置情報認識手段２４は、ＩＣタグセンサ１４から送られた本１２の検出信号により、本１２を識別するとともに、撮影画像データから利用者が指し示した位置を認識する。このとき、本１２のページ等の識別は、撮影画像データから文字認識によって行ってもよいし、利用者が入力手段３２を用いて入力してもよい。例えば、利用者がマイクロフォンを通じて音声で入力するようにしてもよい。
これらの方法により、本１２のページおよびページ内の所定の位置が認識され、この本１２内の位置を示す位置情報が作成される。作成された位置情報はメッセージ情報記録手段２６に送られる。
【００３１】
次に、ステップＳ１４０において、上で指定した本１２内の位置に対する関連情報が、入力手段３２から利用者によって入力される。すなわち、その本１２内の位置に対して利用者が付与したいメッセージや、後でまたその本１２を読むときに参考となるような関連情報をキーボードやマイクロフォンあるいはスキャナによって入力する。関連情報の入力は、利用者が撮影指示手段２２を介してカメラ１６に指示して撮影を行う場合には、撮影に引き続いて入力手段３２から入力すればよいが、関連情報の入力のタイミングはこれに限定されず、任意の時点で行うことができる。その場合には、例えば、すでに作成されメッセージ情報記録手段２６に蓄積されている位置情報を、入力手段３２を操作してモニタ３４に表示して、その中から関連情報を付したい位置情報を指定して、これに対する関連情報を入力するようにすればよい。いずれにしても位置情報と関連情報の対応が取れた形で入力されればよい。
関連情報は、メッセージ情報記録手段２６に入力される。
【００３２】
また、関連情報は、このように利用者自身が入力するものには限定されず、例えば、本の販売時に業者が提供するその本１２に付属した業者提供情報でもよいし、本１２のその部分に関連する情報をインターネットサイト等からダウンロードして、それを関連情報としてもよい。
またこのとき、関連情報自体は別の記憶装置等に保持するようにして、そのアクセス先（例えば、インターネットサイトのアクセス先）のみをメッセージ情報記録手段２８に入力するようにしてもよい。
【００３３】
次に、ステップＳ１５０において、メッセージ情報記録手段２６は、位置情報と関連情報（あるいは関連情報のアクセス先）を組み合わせてメッセージ情報を作成し、これをメモリ２８に記録する。
このように利用者は、本を読みながら、随所にその参考となる情報や感想あるいは覚書等の関連情報を付すことができる。また、コンテンツ記録媒体も本には限定されず、ノートや新聞、あるいは写真アルバム等様々なものに対して関連情報を付すことができる。
【００３４】
次に、メッセージ再生方法について説明する。
図３は、本実施形態のメッセージ記録再生システムにおいて、メッセージを再生する場合の処理の流れを示すフローチャートである。
【００３５】
まず、図３のステップＳ２００において、システム利用者がＩＣタグ１０の付いた本１２を机４２上に置いて開くと、ステップＳ２１０において、机４２に設置されたＩＣタグセンサ１４が、本１２に付されたＩＣタグ１０と交信を行い、本１２を検出する。検出信号は、ＩＣタグセンサ１４からパソコン２０に伝送され、撮影指示手段２２および位置情報認識手段２４に入力される。
【００３６】
次に、ステップＳ２２０において、システム利用者が、本１２のあるページのある場所を指し示して本１２全体をその真上に設置されたカメラ１６によって撮影する。撮影は、利用者がメッセージ情報が付されていそうな場所を指し示して、撮影指示手段２２を介してカメラ１６に指示を出して撮影するようにしてもよいし、撮影指示手段２２が本１２の検出信号を受け取ったら自動的に所定時間間隔で連続的に撮影を行うようにして、利用者がその撮影のタイミングに合わせて本１２の所定の場所を指し示すようにしてもよい。
カメラ１６で撮影された本１２の撮影画像データは、位置情報認識手段２４に送られる。
【００３７】
次に、ステップＳ２３０において、位置情報認識手段２４は、ＩＣタグセンサ１４から送られた本１２の検出信号により、本１２を識別するとともに、撮影画像データから利用者が指し示した位置を認識し、位置情報を作成する。
次に、ステップＳ２４０において、この位置情報に対応するメッセージ情報が存在しないか、検索手段３０がメモリ２８内を検索する。
【００３８】
そして、その位置情報に対応するメッセージ情報が見つかった場合には、ステップＳ２５０において、そのメッセージ情報を再生する。メッセージ情報の再生方法は特に限定はされず、例えば、モニタ３４に表示し、スピーカ３５から音声で再生してもよいし、あるいはプリンタ３６から紙媒体に出力してもよいしその他の再生方法でもよい。
【００３９】
このように、本実施形態によれば、本やノート、新聞あるいはアルバム等のコンテンツ記録媒体を見ながら、そのコンテンツ記録媒体中の随所に関連情報を付与しておき、後で再度そのコンテンツ記録媒体を見るときにコンテンツ記録媒体中の適当な場所を指し示すだけで、そこに付されている関連情報を自動的に再生することができる。
なお、関連情報の付与は、上に示した例のように、例えば本の中のあるページ中のある場所を指定して付与するだけでなく、あるページに対して付与してもよいし、場合によっては、本そのものに対して付与するようにしてもよい。
ページに対して関連情報が付与されている場合には、本の中のそのページが開かれていることがカメラの撮影画像から認識されると、そのページに対する関連情報が自動的に再生される。また、本そのものに対して関連情報が付されている場合には、その本を机の上に置き、ＩＣタグセンサによってその本が認識されるとその本に対する関連情報が自動的に再生される。
【００４０】
次に本発明の第２実施形態について説明する。
図４に、本発明の第２実施形態に係るメッセージ記録および再生装置を有するメッセージ記録再生システムの概略構成を示す。
本実施形態のメッセージ記録再生システムは、メッセージ記録側１００とメッセージ再生側２００とがネットワーク１４０によって接続されている。
【００４１】
図４に示すメッセージ記録再生システムの記録側１００は、コンテンツ記録媒体（本）１１２に付されたＩＣタグ１１０と交信するＩＣタグセンサ１１４、本１１２を撮影するカメラ（デジタルカメラ）１１６、撮影指示手段１２２、位置情報認識手段１２４、メッセージ情報記録手段１２６、メモリ１２８を有し、入力手段１３２、モニタ１３４等が接続されたパソコン１２０とから主に構成される。
また一方、再生側２００は、コンテンツ記録媒体（本）２１２に付されたＩＣタグ２１０と交信するＩＣタグセンサ２１４、本２１２を撮影するカメラ２１６、撮影指示手段２２２、位置情報認識手段２２４、メモリ２２８、検索手段２３０を有し、メッセージ再生（出力）手段としてモニタ２３４、スピーカ２３５、プリンタ２３６等が接続されたパソコン２２０とから主に構成される。
【００４２】
なお、ここでは、メッセージ記録側１００においては少なくともメッセージ情報の記録に必要な構成要素のみを示し、メッセージ再生側２００においては少なくともメッセージ情報の再生に必要な構成要素のみを示したが、これは説明のために、便宜的にメッセージ記録側１００とメッセージ再生側２００に分けたものであって、装置としてはメッセージ記録側１００もメッセージ再生側２００も上記第１実施形態と同様に両方の機能を有する同じ装置であっても差し支えない。また、上記各構成要素の働き等は前述した第１実施形態のものと同様であり、下二桁を同じ符号として詳しい説明は省略する。
なお、本１１２と本２１２は、同じ本であればよく、メッセージ記録側１００の本１１２をメッセージ再生側２００に持ち込んだ物理的に完全に同一の本である必要はない。
【００４３】
次に本実施形態の作用を図５のフローチャートを参照して説明する。
メッセージ情報の記録方法および再生方法は基本的に前述した第１実施形態と同様であり、本実施形態が第１実施形態と異なるのは、メッセージ情報の記録と再生を別の装置で行うようにし、メッセージ記録側１００で記録したメッセージ情報をメッセージ再生側２００に伝送し、メッセージ再生側で再生するようにした点である。
【００４４】
図５において、ステップＳ３００からステップＳ３４０まではメッセージ記録側１００における動作であり、ステップＳ３５０からステップＳ３８０まではメッセージ再生側２００における動作である。メッセージ記録側１００において、ステップＳ３００で、本１１２の所定位置を指定してカメラ１１６により本１１２を撮影し、ステップＳ３１０で、撮影画像から位置情報を認識し位置情報を作成し、ステップＳ３２０で、この位置情報に対応する関連情報を入力し、ステップＳ３３０で、位置情報と関連情報を組み合わせてメッセージ情報を作成して記録する。以上の動作は、図２に示すメッセージ記録方法と同様であるので詳しい説明は省略する。
【００４５】
次に、ステップＳ３４０において、メッセージ記録側１００では、メッセージ情報を記録すると同時に、メッセージ情報を再生側２００へ伝送する。メッセージ再生側２００では、メッセージ情報を受け取ると、メモリ２２８に記憶しておく。
メッセージ記録側１００では、以上の動作を必要なだけ繰り返し、本１１２に対するメッセージ情報をすべて記録するとともに、ネットワーク１４０を介してメッセージ情報をメッセージ再生側２００に伝送し、メッセージ再生側２００のメモリ２２８に蓄積する。
【００４６】
以下、ステップＳ３５０からステップＳ３８０は、メッセージ再生側２００の動作である。メッセージ再生側２００の動作は、基本的に図３のメッセージ再生方法と同様である。
すなわち、メッセージ再生側２００におけるシステム利用者が、メッセージ記録側１００と同じコンテンツ記録媒体、例えば本１１２と同じ本２１２を読む場合に、ステップＳ３５０において、本２１２の適当な位置を指し示してカメラ２１６で撮影し、ステップＳ３６０において、撮影画像からその本２１２上の位置情報を認識し、ステップＳ３７０で、その位置情報に対応するメッセージ情報が蓄積されていないか、検索手段２３０が位置情報を基にメモリ２２８内を検索する。
【００４７】
検索の結果、その位置情報に対応するメッセージ情報が検出された場合には、メモリ２２８からメッセージ情報を読み出してモニタ２３４、スピーカ２３５、プリンタ２３６等のメッセージ再生（出力）手段から再生する。
このとき、メッセージ情報が関連情報そのものではなく、関連情報のアクセス先を有している場合には、検索手段２３０は、そのアクセス先へアクセスして関連情報を呼び出して再生する。
【００４８】
このように、本実施形態によれば、あるコンテンツ記録媒体の所定の場所に対し付与した関連情報を友人等に伝送して、友人が同じコンテンツ記録媒体を参照する場合に、その関連情報を再生することで、本メッセージ記録再生システムを利用した第三者とのコミュニケーションを実現することができる。
上記の例は、同一タイトルの本についての事例であったが、写真プリントの場合は、焼き増しプリントに共通の識別情報を記録したＩＣタグを貼付することにより、共通の写真シーンを基に情報を伝達し合うことができる。
【００４９】
次に、本発明の第３実施形態について説明する。
上で説明した第１および第２実施形態では、コンテンツ記録媒体上の位置を指定し、認識するために、カメラによる撮影画像を利用したが、本実施形態は、この位置認識をより簡単化したものである。
【００５０】
図６に本実施形態のメッセージ記録再生システムの概略構成を示す。
図６に示すように、本実施形態においては、コンテンツ記録媒体上の位置を簡単に認識するために、コンテンツ記録媒体として、特殊なドットパターンが形成されたシート３１２を利用し、このシート３１２上をスキャナ付き電子ペン３１４等の検出手段でなぞって指し示すことによりその位置が検出できるようになっている。
このように位置を検出するために特殊なシート３１２および電子ペン３１４を用いる他は、上記実施形態と同様の構成となっている。
【００５１】
すなわち、電子ペン３１４で検出されたコンテンツ記録媒体（シート３１２）上の位置は、パソコン３２０の位置情報認識手段３２４に入力されるようになっており、パソコン３２０は、その他メッセージ情報記録手段３２６、メモリ３２８、検索手段３３０を有している。また、パソコン３２０には、キーボードやマイクロフォンあるいはスキャナ等の入力手段３３２、モニタ３３４、スピーカ３３５、プリンタ３３６等のメッセージ再生手段が接続されている。
【００５２】
以下、図７および図８を参照して、本実施形態の作用を説明する。
まず図７を参照して、メッセージ記録方法を説明する。
図７のステップＳ４００において、コンテンツ記録媒体（例えばシート３１２を利用した本やノート等）上の所定位置を、電子ペン（検出手段）３１４で指定する。シート３１２には、特殊なドットパターンが形成されており、電子ペン３１４でこれをなぞって、その特殊なドットパターンを読み取ることにより、シート３１２上の位置を特定することができるようになっている。
【００５３】
次にステップＳ４１０において、特定された位置はパソコン３２０の位置情報認識手段３２４に入力される。位置情報認識手段３２４では、この特定された位置を基にそのシート３１２上の所定の位置を示す位置情報を作成し、メッセージ情報記録手段３２６および検索手段３３０に送る。
次にステップＳ４２０において、上の位置情報に対応する関連情報を入力手段３３２から入力する。この関連情報の入力は、前述したように、必ずしも位置を特定した直後に行う必要はなく、位置情報と対応がついていれば、任意の時点で行うことができる。
次にステップＳ４３０において、メッセージ情報記録手段３２６は、位置情報および関連情報を組み合わせてメッセージ情報を作成し、メモリ３２８に記録する。
【００５４】
次に図８を参照してメッセージ再生方法を説明する。
図８のステップＳ５００において、コンテンツ記録媒体としてのシート３１２上の所定位置を、検出手段である電子ペン３１４で指定する。電子ペン３１４で指定することによりシート３１２上の位置が特定される。電子ペン３１４の信号はパソコン３２０の位置情報認識手段３２４に入力される。
【００５５】
次にステップＳ５１０において、位置情報認識手段３２４は、電子ペン３１４によって特定された位置からシート３１２上の位置情報を作成し、検索手段３３０に送る。
次にステップＳ５２０において、検索手段３３０は、送られた位置情報を基に、その位置情報に対応するメッセージ情報が存在しないか、メモリ３２８内を検索する。
【００５６】
検索した結果、その位置情報に対応するメッセージ情報が検出された場合には、ステップＳ５３０において、その関連情報をモニタ３３４等のメッセージ再生手段によって再生する。
このように本実施形態によれば、コンテンツ記録媒体として特殊なドットパターンが形成されたシート３１２を用いることにより、電子ペン３１４でシート３１２上の位置を指すだけで位置を特定できるため、カメラによってコンテンツ記録媒体を撮影し、その撮影画像を画像処理して解析することにより位置を認識する場合に比べてはるかに簡単に位置を特定することが可能となる。
【００５７】
以上、本発明のメッセージ記録および再生装置および方法について、詳細に説明したが、本発明は、以上の実施形態に限定されるものではなく、本発明の要旨を逸脱しない範囲において、各種の改良や変更を行ってもよいのはもちろんである。
なお、モニタ表示またはプリンタに出力する際には、関連情報のみ出力するモードと、カメラ１６による撮影画像内の該当位置に関連情報を合成するモードを設定できる様にしてもよい。
【００５８】
また、上記の例におけるカメラは、固定されたものでも携帯型（デジタルカメラあるいはカメラ付携帯電話等）でもいずれでもよい。また、記録媒体上の所定の位置を認識するためにその位置を指し示すことは必ずしも必要ではない。
また、ＩＣタグセンサを使用せずに、画像認識のみでその記録媒体あるいはその記録媒体上の位置を識別するシーン識別情報を作成するようにしてもよい。例えば、表紙タイトルを撮影して、文字認識によりタイトルをテキストデータ化してもよい。あるいは撮影画像そのものをシーン識別情報としてもよい。この場合、再生時には、撮影画像とのパターンマッチングにより、メッセージ情報との照合処理を行う。このとき、撮影画像としては、例えば、本の表紙、ページ、および指し指、の３段階の撮影画像を用いればよい。ただし、さし指は必ずしも必要ではない。あるいは、写真プリントを撮影した画像でもよい。
あるいは、カメラを使用せずに、ＩＣタグシステムのみでも実施可能である。ただし、ＩＣタグシステムのみの場合には、ページ指定や位置指定は、別途入力装置等により行う必要がある。
【００５９】
また、写真プリントの場合、焼き増しプリントにおいては、共通の識別番号をプリントの余白やプリントの隅のエリアに合成してプリントし、これを用いて識別するようにしてもよい。この識別番号としては、例えば、撮影者ＩＤ、日付（日時、時刻）およびコマＮｏ．等が例示される。
このときカメラ１６で識別番号を読取り、文字認識することで個々のプリントを認識するようにしてもよい。
【００６０】
また、本発明の他の適用例として、図９に示すように、本や写真あるいは衣服等の各種の物品５０にＩＣタグ５２を貼付し、ウエラブルパソコン５４を所持した人物が、その物品５０を持つと、人体を導体としてＩＣタグ５２に保持されている物品ＩＤがウエラブルパソコン５２に伝送され、その物品５０が識別されるようなシステムとしてもよい。このとき、例えばその物品５０の関連情報がサーバ５６に予め記録されている場合に、その物品ＩＤによりサーバ５６内を検索してその物品の関連情報が読み出される。読み出された情報は、例えばウエラブルパソコン５４の表示画面に表示される。
あるいは、物品５０を識別したら、その物品ＩＤと対応させてウエラブルパソコン５４からサーバ５６に新規の関連情報を記録するようにしてもよい。
【００６１】
またこの他、物品５０にＩＣタグ５２とともに圧力センサ、加速度センサ、温度センサ等を貼付しておき、人物がその物品５０を持つと、上記各種センサの検出データの変化をトリガとして、物品ＩＤを発信し、その信号を受信器で受信し、データに変化のある物品を識別するようにしてもよい。あるいは、センサのデータを物品ＩＤと一緒に発信するようにしてもよい。これらの信号はＩＣタグ５２から受信器側に発信される。受信器はウエラブルパソコン５４に付設されていてもよいし、別体でもよい。
また、上記のような手法で、物品５０を特定し、パソコンによるデータ伝送あるいは音声吹き込み等により、物品５０に貼付されたＩＣタグ５２に情報を書込むようにしてもよい。
このようにすることにより、記録媒体に限定されない各種物品に、手軽にその関連情報を記録したり、その関連情報にアクセスすることが可能となる。
【００６２】
【発明の効果】
以上、説明した通り、本発明によれば、各種物品、特に物理的な記録媒体に記録されたコンテンツへのメッセージ情報の記録およびその再生を容易に行うことが可能となり、その結果、共通の物理的なコンテンツ記録媒体を介した第三者とのコミュニケーションを容易に実現することができる。
また、このような第三者とのコミュニケーションの他、自分自身での利用においても非常に便利となる。例えば、従来は、本に直接書き込みをしたり、マーカペンで印を付けたりしていたが、本の見栄えが悪くなり、さらに、直接書き込みをしたのでは修正しにくいという問題があったが、本発明によれば、モニタ上で本の該当ページに以前の書き込みやマーカを合成表示でき、また、何度でも書き込みやマークの修正も可能となるため、本自体を損傷することなく情報の記録、再生を行うことができる。
【図面の簡単な説明】
【図１】  本発明の第１実施形態に係るメッセージ記録装置およびメッセージ再生装置の両方の機能を備えたメッセージ記録再生システムの概略構成を示すブロック図である。
【図２】  本発明の第１実施形態におけるメッセージ記録方法を示すフローチャートである。
【図３】  本発明の第１実施形態におけるメッセージ再生方法を示すフローチャートである。
【図４】  本発明の第２実施形態に係るメッセージ記録装置およびメッセージ再生装置を備えたメッセージ記録再生システムの概略構成を示すブロック図である。
【図５】  本発明の第２実施形態のメッセージ記録および再生方法を示すフローチャートである。
【図６】  本発明の第３実施形態に係るメッセージ記録装置およびメッセージ再生装置の両方の機能を備えたメッセージ記録再生システムの概略構成を示すブロック図である。
【図７】  本発明の第３実施形態におけるメッセージ記録方法を示すフローチャートである。
【図８】  本発明の第３実施形態におけるメッセージ再生方法を示すフローチャートである。
【図９】  本発明の他の適用例を示す説明図である。
【符号の説明】
１０、１１０、２１０  ＩＣタグ
１２、１１２、２１２  本（コンテンツ記録媒体）
１４、１１４、２１４  ＩＣタグセンサ
１６、１１６、２１６  カメラ（撮影手段）
２０、１２０、２２０、３２０  パソコン
２２、１２２、２２２  撮影指示手段
２４、１２４、２２４、３２４  位置情報認識手段
２６、１２６、３２６  メッセージ情報記録手段
２８、１２８、２２８、３２８  メモリ
３０、２３０、３３０  検索手段
３２、１３２、２３２、３３２  入力手段
３４、１３４、２３４、３３４  モニタ
３５、２３５、３３５  スピーカ
３６、２３６、３３６  プリンタ
４０、１４０、３４０  ネットワーク
４２  机
４４  天井
５０  物品
５２  ＩＣタグ
５４  ウエラブルパソコン
５６  サーバ
１００  メッセージ記録側
２００  メッセージ再生側
３１２  シート（コンテンツ記録媒体）
３１４  電子ペン（検出手段）
【図１】
0004259898.tif 000002
【図２】
0004259898.tif 000003
【図３】
0004259898.tif 000004
【図４】
0004259898.tif 000005
【図５】
0004259898.tif 000006
【図６】
0004259898.tif 000007
【図７】
0004259898.tif 000008
【図８】
0004259898.tif 000009
【図９】
0004259898.tif 000010